(57)【特許請求の範囲】
【請求項１】
タグの識別情報を読み取る端末と、会員制のウェブサイトを構築するウェブサイトサーバとに、ネットワークを介して接続する情報管理サーバであって、
前記タグの識別情報および前記端末の識別情報のうち、
一方が第１識別情報として設定され、他方が第２識別情報として設定され、
前記ウェブサイトサーバが認証に用いる会員の認証情報と前記第１識別情報とが紐付けられた認証データと、前記ウェブサイトサーバへアップロードされるアップロード情報と前記第２識別情報とが紐付けられたアップロードデータとが記憶される記憶部と、
前記ウェブサイトサーバにアクセスし、前記端末から取得する前記第１識別情報および前記第２識別情報に基づいて、前記第１識別情報に紐付けられた前記認証情報を前記ウェブサイトサーバに送信して前記第２識別情報に紐付けられた前記アップロード情報を前記ウェブサイトサーバにアップロードする制御部と、を備える
ことを特徴とする情報管理サーバ。
【請求項２】
前記アップロード情報は、
前記ウェブサイトサーバにコンテンツをアップロードするための情報である
請求項１に記載の情報管理サーバ。
【請求項３】
前記第１識別情報は、前記タグの識別情報であり、
前記第２識別情報は、前記端末の識別情報であり、
前記アップロードデータは、
前記アップロード情報と、前記端末の識別情報と、前記端末が出力するコンテンツの識別情報とが紐付けられたデータであり、
前記制御部は、前記端末から取得した前記タグの識別情報に基づいて当該識別情報に前記認証データにて紐付けられた前記認証情報を特定し、前記端末から取得した前記端末が出力している前記コンテンツの識別情報と前記端末の識別情報とに基づいてこれらの識別情報に前記アップロードデータにて紐付けられた前記アップロード情報を特定し、前記ウェブサイトサーバに、特定した前記認証情報を送信して、特定した前記アップロード情報をアップロードする
請求項１又は２に記載の情報管理サーバ。
【請求項４】
前記第１識別情報は、前記端末の識別情報であり、
前記第２識別情報は、前記タグの識別情報であり、
前記アップロードデータは、
前記アップロード情報と、前記タグの識別情報と、前記端末が出力するコンテンツの識別情報とが紐付けられたデータであり、
前記制御部は、前記端末から取得した前記端末の識別情報に基づいて当該識別情報に前記認証データにて紐付けられた前記認証情報を特定し、前記端末から取得した前記端末が出力している前記コンテンツの識別情報と前記タグの識別情報とに基づいてこれらの識別情報に前記アップロードデータにて紐付けられた前記アップロード情報を特定し、前記ウェブサイトサーバに、特定した前記認証情報を送信して、特定した前記アップロード情報をアップロードする
請求項１又は２に記載の情報管理サーバ。
【請求項５】
会員制のウェブサイトサーバに情報をアップロードする情報アップロードシステムであって、
タグの識別情報を読み取る端末と、
前記端末および前記会員制のウェブサイトを構築するウェブサイトサーバとネットワークを介して接続する情報管理サーバと、を備え、
前記情報管理サーバは、
前記タグの識別情報および前記端末の識別情報のうち、
一方が第１識別情報として設定され、他方が第２識別情報として設定され、
前記ウェブサイトサーバが認証に用いる会員の認証情報と前記第１識別情報とが紐付けられた認証データと、前記ウェブサイトサーバへアップロードされるアップロード情報と前記第２識別情報とが紐付けられたアップロードデータとが記憶される記憶部と、
前記ウェブサイトサーバにアクセスし、前記端末から取得する前記第１識別情報および前記第２識別情報に基づいて、前記第１識別情報に紐付けられた前記認証情報を前記ウェブサイトサーバに送信して前記第２識別情報に紐付けられた前記アップロード情報を前記ウェブサイトサーバにアップロードする制御部と、を備える
ことを特徴とする情報アップロードシステム。
【請求項６】
前記端末は、
近距離無線通信機能を備え、近距離無線通信機能によってタグの識別情報を読み取る
請求項５に記載の情報アップロードシステム。
【請求項７】
タグの識別情報を端末が読み取るステップと、
前記端末にて読み取られた前記タグの識別情報と前記端末の識別情報とを、前記端末から該端末とネットワークを介して接続される情報管理サーバに送信するステップと、
前記端末から送信される前記タグの識別情報および前記端末の識別情報に基づいて、これらタグの識別情報および端末の識別情報と紐付けられた会員制のウェブサイトにおける会員の認証情報であって前記会員制のウェブサイトを構築するウェブサイトサーバが認証に用いる認証情報と前記ウェブサイトサーバへアップロードされるアップロード情報とを前記情報管理サーバの記憶部から取得するステップと、
前記認証情報と前記アップロード情報とを、前記情報管理サーバから前記ウェブサイトサーバに送信するステップと、
を含む情報アップロード方法。
【請求項８】
タグの識別情報を読み取る端末と、会員制のウェブサイトを構築するウェブサイトサーバとに、ネットワークを介して接続する情報管理サーバを用いて、前記ウェブサイトサーバに情報をアップロードする情報アップロードプログラムであって、
前記情報管理サーバを、
前記タグの識別情報および前記端末の識別情報のうち、
一方が第１識別情報として設定され、他方が第２識別情報として設定され、
前記ウェブサイトサーバが認証に用いる会員の認証情報と前記第１識別情報とが紐付けられた認証データと、前記ウェブサイトサーバへアップロードされるアップロード情報と前記第２識別情報とが紐付けられたアップロードデータとが記憶される記憶部と、
前記ウェブサイトサーバにアクセスし、前記端末から取得する前記第１識別情報および前記第２識別情報に基づいて、前記第１識別情報に紐付けられた前記認証情報を前記ウェブサイトサーバに送信して前記第２識別情報に紐付けられた前記アップロード情報を前記ウェブサイトサーバにアップロードする制御部として機能させる
ことを特徴とする情報アップロードプログラム。
【発明の詳細な説明】
【技術分野】
【０００１】
本開示の技術は、会員制のウェブサイトを構築するウェブサイトサーバに情報がアップロードされる際に用いられる情報管理サーバ、情報アップロードシステム、情報アップロード方法、及び、情報アップロードプログラムに関する。
【背景技術】
【０００２】
従来から、ミニブログやソーシャル・ネットワーキング・サービス（ＳＮＳ）等の会員制のウェブサイトが注目されている。こうした会員制ウェブサイトでは、例えば、特許文献１に記載のように、会員であるユーザからの投稿内容がウェブページに掲載される。近年、インターネット等のネットワークの発達とスマートフォン等の携帯情報端末の普及とに従って、ユーザが会員制ウェブサイトへ情報を投稿する場所や時間の自由度が高まっている。
【先行技術文献】
【特許文献】
【０００３】
【特許文献１】特開２０１２−２７６０４号公報
【発明の概要】
【発明が解決しようとする課題】
【０００４】
ところで、上記会員制ウェブサイトへの投稿の機会が増えることに伴って、例えば、ユーザは、展示会や音楽祭等の催事に参加している最中にも、会員制ウェブサイトへ情報を投稿することが少なくない。しかしながら、ユーザが情報を投稿するためには、少なくとも会員制ウェブサイトへのログイン処理や文章の作成等がその都度必要とされる。結果として、催事に参加している最中に上述の処理を行うことは、ユーザにとって煩雑なものとなっている。なお、こうした問題は、会員制ウェブサイトに情報を投稿することに限らず、会員制ウェブサイトでの投票等、会員制ウェブサイトサーバにサービスの提供を要求する際に共通するものである。
【０００５】
本開示の技術は、会員制ウェブサイトサーバにサービスの提供を要求する際に必要とされるユーザの手間を軽減することの可能な情報管理サーバ、情報アップロードシステム、情報アップロード方法、及び、情報アップロードプログラムを提供することを目的とする。
【課題を解決するための手段】
【０００６】
本開示における情報管理サーバの一態様は、タグの識別情報を読み取る端末と、会員制のウェブサイトを構築するウェブサイトサーバとに、ネットワークを介して接続する情報管理サーバである。ここで、前記タグの識別情報および前記端末の識別情報のうち、一方が第１識別情報として設定され、他方が第２識別情報として設定される。そして、前記情報管理サーバは、記憶部と制御部とを備える。前記記憶部には、前記ウェブサイトサーバが認証に用いる会員の認証情報と前記第１識別情報とが紐付けられた認証データと、前記ウェブサイトサーバへアップロードされるアップロード情報と前記第２識別情報とが紐付けられたアップロードデータとが記憶される。前記制御部は、前記ウェブサイトサーバにアクセスし、前記端末から取得する前記第１識別情報および前記第２識別情報に基づいて、前記第１識別情報に紐付けられた前記認証情報を前記ウェブサイトサーバに送信して前記第２識別情報に紐付けられた前記アップロード情報を前記ウェブサイトサーバにアップロードする。
【０００７】
本開示における情報アップロードシステムの一態様は、会員制のウェブサイトサーバに情報をアップロードする情報アップロードシステムであって、タグの識別情報を読み取る端末と、前記端末および前記会員制のウェブサイトを構築するウェブサイトサーバとネットワークを介して接続する情報管理サーバと、を備える。前記情報管理サーバでは、前記タグの識別情報および前記端末の識別情報のうち、一方が第１識別情報として設定され、他方が第２識別情報として設定される。前記情報管理サーバは、記憶部と制御部とを備える。前記記憶部には、前記ウェブサイトサーバが認証に用いる会員の認証情報と前記第１識別情報とが紐付けられた認証データと、前記ウェブサイトサーバへアップロードされるアップロード情報と前記第２識別情報とが紐付けられたアップロードデータとが記憶される。前記制御部は、前記ウェブサイトサーバにアクセスし、前記端末から取得する前記第１識別情報および前記第２識別情報に基づいて、前記第１識別情報に紐付けられた前記認証情報を前記ウェブサイトサーバに送信して前記第２識別情報に紐付けられた前記アップロード情報を前記ウェブサイトサーバにアップロードする。
【０００８】
本開示における情報アップロード方法の一態様は、タグの識別情報を端末が読み取るステップと、前記端末にて読み取られた前記タグの識別情報と前記端末の識別情報とを、前記端末から該端末とネットワークを介して接続される情報管理サーバに送信するステップとを含む。また、前記情報アップロード方法は、前記端末から送信される前記タグの識別情報および前記端末の識別情報に基づいて、これらタグの識別情報および端末の識別情報と紐付けられた会員制のウェブサイトにおける会員の認証情報であって前記会員制のウェブサイトを構築するウェブサイトサーバが認証に用いる認証情報と前記ウェブサイトサーバへアップロードされるアップロード情報とを前記情報管理サーバの記憶部から取得するステップを含む。さらに、前記情報アップロード方法は、前記認証情報と前記アップロード情報とを、前記情報管理サーバから前記ウェブサイトサーバに送信するステップを含む。
【０００９】
本開示における情報アップロードプログラムの一態様は、タグの識別情報を読み取る端末と、会員制のウェブサイトを構築するウェブサイトサーバとに、ネットワークを介して接続する情報管理サーバを用いて、前記ウェブサイトサーバに情報をアップロードする情報アップロードプログラムであって、前記情報管理サーバを、前記タグの識別情報および前記端末の識別情報のうち、一方が第１識別情報として設定され、他方が第２識別情報として設定され、前記ウェブサイトサーバが認証に用いる会員の認証情報と前記第１識別情報とが紐付けられた認証データと、前記ウェブサイトサーバへアップロードされるアップロード情報と前記第２識別情報とが紐付けられたアップロードデータとが記憶される記憶部と、前記ウェブサイトサーバにアクセスし、前記端末から取得する前記第１識別情報および前記第２識別情報に基づいて、前記第１識別情報に紐付けられた前記認証情報を前記ウェブサイトサーバに送信して前記第２識別情報に紐付けられた前記アップロード情報を前記ウェブサイトサーバにアップロードする制御部として機能させる。
【００１０】
上記各々の一態様であれば、ユーザの所有するタグの識別情報が端末で読み取られる、あるいは、ユーザの所有する端末がタグの識別情報を読み取ることによって、情報管理サーバでは、第１識別情報と第２識別情報とが取得可能になる。そして、ウェブサイトサーバでは、情報管理サーバから送信される認証情報とアップロード情報との受信によって、アップロード情報に基づくサービスが、認証情報に対応する会員のウェブサイトにて実行される。それゆえに、会員制ウェブサイトサーバにおける認証の処理やサービスの要求等が別途行われる場合に比べて、サービスの提供を要求する際に必要とされるユーザの手間を軽減することが可能となる。
【００１１】
本開示における情報提供サーバの他の態様にて、前記アップロード情報は、前記ウェブサイトサーバにコンテンツをアップロードするための情報である。
上記他の態様によれば、コンテンツの作成が別途行われる場合に比べて、コンテンツのアップロードに要するユーザの手間を軽減することが可能となる。
【００１２】
本開示における情報管理サーバの他の態様にて、前記第１識別情報は、前記タグの識別情報であり、前記第２識別情報は、前記端末の識別情報であり、前記アップロードデータは、前記アップロード情報と、前記端末の識別情報と、前記端末が出力するコンテンツの識別情報とが紐付けられたデータであり、前記制御部は、前記端末から取得した前記タグの識別情報に基づいて当該識別情報に前記認証データにて紐付けられた前記認証情報を特定し、前記端末から取得した前記端末が出力している前記コンテンツの識別情報と前記端末の識別情報とに基づいてこれらの識別情報に前記アップロードデータにて紐付けられた前記アップロード情報を特定し、前記ウェブサイトサーバに、特定した前記認証情報を送信して、特定した前記アップロード情報をアップロードする。
【００１３】
本開示における情報管理サーバの他の態様にて、前記第１識別情報は、前記端末の識別情報であり、前記第２識別情報は、前記タグの識別情報であり、前記アップロードデータは、前記アップロード情報と、前記タグの識別情報と、前記端末が出力するコンテンツの識別情報とが紐付けられたデータであり、前記制御部は、前記端末から取得した前記端末の識別情報に基づいて当該識別情報に前記認証データにて紐付けられた前記認証情報を特定し、前記端末から取得した前記端末が出力している前記コンテンツの識別情報と前記タグの識別情報とに基づいてこれらの識別情報に前記アップロードデータにて紐付けられた前記アップロード情報を特定し、前記ウェブサイトサーバに、特定した前記認証情報を送信して、特定した前記アップロード情報をアップロードする。
【００１４】
上記他の態様によれば、端末が出力するコンテンツの識別情報にアップロード情報が紐付けられるため、会員制ウェブサイトサーバに要求されるサービスは、端末の出力するコンテンツに応じたものとなる。それゆえに、端末が出力するコンテンツに応じたサービスを会員制ウェブサイトサーバに要求することが可能になる。
【００１５】
本開示における情報アップロードシステムの他の態様にて、前記端末は、近距離無線通信機能を備え、近距離無線通信機能によってタグの識別情報を読み取る。
上記他の態様によれば、会員の認証情報が情報管理サーバに記憶され、こうした認証情報がタグや端末には登録されない。したがって、個人情報の不正な読み取り等に対するセキュリティを高めることができる。
【発明の効果】
【００１６】
本開示の技術によれば、会員制ウェブサイトサーバにサービスの提供を要求する際に必要とされるユーザの手間を軽減することが可能となる。
【図面の簡単な説明】
【００１７】
【図１】本開示の技術における第１の実施形態の情報アップロードシステムの全体構成を示す図である。
【図２】第１の実施形態の情報管理サーバの構成を示すブロック図である。
【図３】第１の実施形態の認証データベースのデータ構成を示す図である。
【図４】第１の実施形態のアップロードデータベースのデータ構成を示す図である。
【図５】第１の実施形態での情報のアップロードの手順を示すフローチャートである。
【図６】第１の実施形態での情報のアップロードの手順を示すシーケンス図である。
【図７】本開示の技術における第２の実施形態の認証データベースのデータ構成を示す図である。
【図８】第２の実施形態のアップロードデータベースのデータ構成を示す図である。
【図９】第２の実施形態での情報のアップロードの手順を示すフローチャートである。
【図１０】本開示の技術における第３の実施形態の情報アップロードシステムの全体構成を示す図である。
【図１１】第３の実施形態での認証データベースのデータ構成を示す図である。
【図１２】第３の実施形態のアップロードデータベースのデータ構成を示す図である。
【図１３】第３の実施形態での情報のアップロードの手順を示すシーケンス図である。
【発明を実施するための形態】
【００１８】
（第１の実施形態）
本開示の技術における第１の実施形態について図１から図６を参照して説明する。なお、本実施形態の情報管理サーバ、情報アップロードシステム、情報アップロード方法、及び、情報アップロードプログラムは、ユーザが、展示会等の催事への参加中に会員制のウェブサイトへ情報をアップロードする際に用いられる。まず、本実施形態の情報アップロードシステムの全体構成について、図１を参照して説明する。
【００１９】
［情報アップロードシステムの構成］
図１に示されるように、情報アップロードシステムは、会員制ウェブサイトサーバ１０と投稿用リーダライタ２０と情報管理サーバ３０とを含む。これら会員制ウェブサイトサーバ１０と投稿用リーダライタ２０と情報管理サーバ３０とは、インターネット等のネットワークＮＷを介して相互にデータを送信及び受信する。
【００２０】
会員制ウェブサイトサーバ１０は、ミニブログやＳＮＳ等の会員制ウェブサイトを構築する。会員制ウェブサイトは、催事を開催する団体の催事用ページと、会員であるユーザの個人用ページとを備えている。そして、ユーザが会員制ウェブサイトの会員になる際に、会員制ウェブサイトサーバ１０は、ユーザに会員ＩＤを通知する。会員ＩＤとは、会員が会員制ウェブサイトサーバ１０を使用する際の会員の認証に用いられる識別コードやパスワード等の認証情報である。会員ＩＤが会員制ウェブサイトサーバ１０に入力されると、会員制ウェブサイトサーバ１０は、ユーザを会員として認証する。会員は、会員制ウェブサイトサーバ１０に対し、個人用ページへの文章や画像や動画等の投稿サービスを要求できる。また、会員は、会員制ウェブサイトサーバ１０に対し、催事用ページの記事に対する投票サービスや文章の投稿サービスを要求できる。
【００２１】
投稿用リーダライタ２０は、近距離無線通信機能を備える端末であり、催事会場内の展示物の付近に設置される。例えば、投稿用リーダライタ２０は、会員による投稿の期待される展示物の付近や、催事用ページにて投票対象となる展示物の付近に設置される。投稿用リーダライタ２０は、例えば、ニア・フィールド・コミュニケーション（ＮＦＣ）に対応したスマートフォンから構成され、オペレーティング・システム（ＯＳ）としてＡｎｄｒｏｉｄ（登録商標）が搭載されている。
【００２２】
投稿用リーダライタ２０は、当該端末の識別に用いられる識別情報として端末ＩＤを割り当てられている。ネットワークＮＷには、１つまたは複数の投稿用リーダライタ２０が接続されている。投稿用リーダライタ２０には、投稿用アプリケーションが予めインストールされ、投稿用アプリケーションは、会員制ウェブサイトサーバ１０に情報がアップロードされる際に用いられる。
【００２３】
ＩＣタグ４０の備えるＩＣチップは、ＩＣタグ４０の識別に用いられるタグの識別情報としてタグＩＤを割り当てられている。ＩＣタグ４０は、例えば、ＩＣチップが埋め込まれたリストバンドやキーホルダー等の装具、あるいは、カード等の携帯品である。ＩＣタグ４０は、例えば、催事会場にてユーザに配布される。そして、投稿用リーダライタ２０は、ＩＣタグ４０に割り当てられたタグＩＤをＩＣタグ４０から非接触で読み取り、読み取られたタグＩＤと投稿用リーダライタ２０の端末ＩＤとを情報管理サーバ３０へ送信する。
【００２４】
情報管理サーバ３０は、情報アップロードプログラムに従い、投稿用リーダライタ２０から送信される情報に基づき、会員制ウェブサイトサーバ１０へ情報をアップロードする。情報管理サーバ３０には、会員制ウェブサイトの会員ＩＤに対応する会員認証キー、会員制ウェブサイトへアップロードされるアップロード情報、ＩＣタグ４０のタグＩＤ、投稿用リーダライタ２０の端末ＩＤ等が記憶されている。
【００２５】
ネットワークＮＷには、ユーザが催事への参加登録等を行う際に使用されるユーザ端末５０や、ＩＣタグ４０のタグＩＤを情報管理サーバ３０に登録する際に使用される登録用リーダライタ６０が接続されている。ユーザ端末５０は、例えば、パーソナルコンピュータやスマートフォン等の携帯情報端末等である。登録用リーダライタ６０は、投稿用リーダライタ２０と同様に、ＩＣタグ４０に対して非接触にて情報の読み取りおよび書き込みを行うことの可能な端末であって、本実施形態では、ＮＦＣに対応したＡｎｄｒｏｉｄ（登録商標）搭載のスマートフォンが用いられる。登録用リーダライタ６０は、催事会場の入口等に設置される。
【００２６】
［情報管理サーバ３０の構成］
次に、上記情報管理サーバ３０の構成について図２から図４を参照して説明する。図２に示されるように、情報管理サーバ３０は、通信部３１と記憶部３２と制御部３３とを備えている。
【００２７】
通信部３１は、会員制ウェブサイトサーバ１０との接続処理や投稿用リーダライタ２０との接続処理を実行する。また、通信部３１は、接続先となる装置と通信部３１との間で情報の送信及び受信を行う。例えば、通信部３１は、タグＩＤと端末ＩＤとを投稿用リーダライタ２０から受信し、アップロード情報を会員制ウェブサイトサーバ１０へ送信する。
【００２８】
記憶部３２は、認証データベース３２ａとアップロードデータベース３２ｂとを格納している。
図３に示されるように、認証データベース３２ａは、催事に参加するユーザの受付番号と、基本情報と、複数の会員認証キーと、複数のタグＩＤとから構成されている。ユーザの受付番号とは、例えば、催事の受付処理にて受け付けられた順に割り当てられる番号であって、催事に参加するユーザの固有の番号である。基本情報は、会員の氏名やユーザの生年月日等の催事の参加に必要とされる情報である。会員認証キーとは、情報管理サーバ３０が会員制ウェブサイトサーバ１０へ会員に成り代わってアクセスする際に用いられる認証情報であり、会員がこうした情報管理サーバ３０による会員制ウェブサイトサーバ１０へのアクセスを承認することにより、情報管理サーバ３０に対して発行される。認証データベース３２ａでは、これら受付番号と基本情報と会員認証キーとタグＩＤとが紐付けられている。例えば、「０００００１」の受付番号には、基本情報として会員の氏名である「山田太郎」が紐付けられ、また、会員認証キーとして「０７６２２５０７７」が紐付けされている。また、これらの情報には、タグＩＤとして「２８ｂ４８ｄｒｆ」が紐付けられている。
【００２９】
図４に示されるように、アップロードデータベース３２ｂは、複数の端末ＩＤと、アップロード情報とから構成されている。アップロード情報とは、例えば、催事用ページの特定の記事への投票や催事用ページの特定の記事への文章の投稿等のサービスを会員制ウェブサイトサーバ１０に要求するための情報である。また、アップロード情報とは、例えば、個人用ページへの文章の投稿や個人用ページへの画像の投稿や個人用ページへの動画の投稿等のサービスを会員制ウェブサイトサーバ１０に要求する情報である。なお、投稿される文章や画像や動画は、アップロード情報ごとに予め設定されている。
【００３０】
アップロードデータベース３２ｂでは、これら端末ＩＤとアップロード情報とが紐付けられている。例えば、「ｖｉｏｂｅｅｔ０１」の端末ＩＤには、催事用ページの記事ａに投票する旨のサービスの要求がアップロード情報として紐付けられている。また、「ｄｏｖｇｆｔａ２３」の端末ＩＤには、個人用ページにコンテンツとして写真ｂを投稿する旨のサービスの要求がアップロード情報として紐付けられている。なお、本実施形態では、１つの端末ＩＤに対して１つのアップロード情報が紐付けられているが、１つの端末ＩＤに複数のアップロード情報が紐付けられてもよいし、複数の端末ＩＤに共通するアップロード情報が紐付けられてもよい。そして、投稿用リーダライタ２０では、上記投稿用アプリケーションが起動されることによって、当該投稿用リーダライタ２０の端末ＩＤに紐付けられたアップロード情報に関し、会員制ウェブサイトサーバ１０でのサービスの進捗等が適宜表示される。
【００３１】
制御部３３は、データ更新部３３ａとデータ取得部３３ｂとを備えている。データ更新部３３ａは、認証データベース３２ａの内容を更新し、また、アップロードデータベース３２ｂの内容を更新する。データ取得部３３ｂは、通信部３１の受信するタグＩＤに基づき、当該タグＩＤに紐付けられた会員認証キーを認証データベース３２ａから取得し、また、通信部３１の受信する端末ＩＤに基づき、当該端末ＩＤに紐付けられたアップロード情報を取得する。
【００３２】
［情報アップロードシステムの作用］
次に、情報管理サーバ３０を介して行われる会員制ウェブサイトサーバ１０への情報のアップロードの手順について図５と図６とを参照して説明する。図５は、会員制ウェブサイトサーバ１０へ情報がアップロードされる手順を示すフローチャートである。会員制ウェブサイトサーバ１０への情報のアップロード（ステップＳ３）は、催事への参加登録（ステップＳ１）と、ＩＣタグ４０のタグＩＤの情報管理サーバ３０への登録（ステップＳ２）との後に行われる。
【００３３】
まず、ステップＳ１で行われる催事への参加登録について説明する。
ネットワークＮＷに接続されたユーザ端末５０では、催事への参加登録サイトからユーザの参加登録が行われる。参加登録サイトは、例えば、会員制ウェブサイトと連動して機能するアプリケーションとして用意されてもよいし、別のウェブサイトとして用意されてもよい。本実施形態では、参加登録サイトは、会員制ウェブサイトと連動して機能するアプリケーションである。参加登録では、基本情報と上記会員ＩＤとが、ユーザ端末５０から会員制ウェブサイトサーバ１０に入力される。なお、参加登録サイトが会員制ウェブサイトと連動して機能するアプリケーションであれば、ユーザが会員制ウェブサイトにログインした状態で参加登録が行われるため、会員ＩＤは自動取得される。したがって、この場合、会員ＩＤの入力を省略することができる。
【００３４】
また、こうした参加登録の過程において、情報管理サーバ３０は、情報管理サーバ３０がユーザに成り代わって会員制ウェブサイトサーバ１０へ情報をアップロードすることに対し、ユーザから承認を得る。これにより、会員制ウェブサイトサーバ１０から情報管理サーバ３０に対して上記会員認証キーが発行される。
【００３５】
会員制ウェブサイトサーバ１０は、入力された基本情報と会員ＩＤとに対し、固有の受付番号を割り当てる。また、会員制ウェブサイトサーバ１０は、基本情報と会員ＩＤに対応する会員認証キーと受付番号とを紐付けた状態で、これら基本情報と会員認証キーと受付番号とを情報管理サーバ３０へ送信する。情報管理サーバ３０の通信部３１は、受付番号と基本情報と会員認証キーとを受信し、情報管理サーバ３０の制御部３３は、これらを紐付けた状態で、データ更新部３３ａにより認証データベース３２ａを更新させる。これにより、当該会員の催事への参加登録が完了する。参加登録が完了すると、会員制ウェブサイトサーバ１０は、該当する受付番号を参加登録サイトのページ上に表示したり、ユーザ端末５０へメールを送信したりすることによって、受付番号をユーザに通知する。
【００３６】
次に、ステップ２で行われるタグＩＤの登録について説明する。
催事会場では、ＩＣタグ４０がユーザに配布され、登録用リーダライタ６０によって、ＩＣタグ４０のタグＩＤが情報管理サーバ３０へ登録される。なお、登録用リーダライタ６０には、予めタグＩＤの登録処理を行う登録用アプリケーションがインストールされている。
【００３７】
タグＩＤの登録処理では、まず、登録用リーダライタ６０のタグＩＤ登録用画面にて、参加登録の際に通知された受付番号がユーザにより入力される。登録用リーダライタ６０は、入力された受付番号を情報管理サーバ３０へ送信する。送信された受付番号に基づいて、情報管理サーバ３０のデータ取得部３３ｂは、認証データベース３２ａから該当する受付番号と紐付けられた基本情報および会員認証キーを取得し、登録用リーダライタ６０に送信する。登録用リーダライタ６０は、受信した基本情報および会員認証キーに対応する会員ＩＤを表示する。
【００３８】
登録用リーダライタ６０に表示された基本情報および会員ＩＤに誤りがないことがユーザによって確認された後に、登録用リーダライタ６０の読み取り部分にＩＣタグがかざされる。これにより、ＩＣタグのタグＩＤが登録用リーダライタ６０に読み取られる。読み取られたタグＩＤは、受付番号、基本情報、会員認証キーと紐付けられて、情報管理サーバ３０に送信される。送信された受付番号と基本情報と会員認証キーとタグＩＤとは、これらが紐付けられた状態で、情報管理サーバ３０のデータ更新部３３ａによって認証データベース３２ａに保存される。これにより、タグＩＤの情報管理サーバ３０への登録が完了する。
【００３９】
次に、ステップＳ３で行われるアップロードの手順について、図５に示されるシーケンス図を参照して説明する。
催事会場内において、ユーザは、例えば、展示物が気に入った場合等、会員制ウェブサイトへのアップロードを行いたい場合に、展示物の付近に設置された投稿用リーダライタ２０の読み取り部分にＩＣタグ４０をかざす。これにより、ＩＣタグ４０のタグＩＤが、投稿用リーダライタ２０に読み取られる（ステップＳ１０）。
【００４０】
タグＩＤを読み取ると、投稿用リーダライタ２０は、読み取ったタグＩＤと当該投稿用リーダライタ２０に登録されている端末ＩＤとを情報管理サーバ３０に送信する（ステップＳ１１）。
【００４１】
情報管理サーバ３０のデータ取得部３３ｂは、受信したタグＩＤに基づいて、認証データベース３２ａに登録されたデータから、該当するタグＩＤと紐付けられた会員認証キーを特定して取得する。また、データ取得部３３ｂは、受信した端末ＩＤに基づいて、アップロードデータベース３２ｂから、該当する端末ＩＤと紐付けられたアップロード情報を取得する（ステップＳ１２）。
【００４２】
情報管理サーバ３０は、会員制ウェブサイトサーバ１０にアクセスし、取得した会員認証キーによる認証を受け、アップロード情報に応じたサービスの要求を会員制ウェブサイトサーバ１０に送信する（ステップＳ１３）。
【００４３】
会員制ウェブサイトサーバ１０は、受信した会員認証キーの認証処理を行った後に（ステップＳ１４）、受信したアップロード情報に応じたサービスを実行する（ステップＳ１５）。アップロード情報に応じたサービスが会員制ウェブサイトサーバ１０で実行されると、その処理の結果が、会員制ウェブサイトサーバ１０から情報管理サーバ３０を経由して投稿用リーダライタ２０に送信される（ステップＳ１６）。
【００４４】
投稿用リーダライタ２０は、会員制ウェブサイトサーバ１０での処理結果を受信すると、処理結果の内容を表示し、会員制ウェブサイトへの情報のアップロードが正常に行われたか否かをユーザに通知する（ステップＳ１７）。
【００４５】
このように、情報管理サーバ３０には、ＩＣタグ４０のタグＩＤと会員制ウェブサイトの会員認証キーとが紐付けられたデータ、および、投稿用リーダライタ２０の端末ＩＤと会員制ウェブサイトへのアップロード情報とが紐付けられたデータが記憶されている。そして、投稿用リーダライタ２０から送信されるタグＩＤと端末ＩＤとに基づいて、情報管理サーバ３０は、会員制ウェブサイトサーバ１０へ情報をアップロードする。
【００４６】
したがって、ユーザの携帯しているＩＣタグ４０が投稿用リーダライタ２０にかざされるという簡易な操作によって、会員制ウェブサイトサーバ１０へ情報がアップロードされる。また、基本情報や会員認証キーといったユーザの個人情報は、情報管理サーバ３０に記憶されており、ＩＣタグ４０や投稿用リーダライタ２０には登録されていない。したがって、個人情報の不正な読み取り等に対するセキュリティを高めることができる。
【００４７】
以上説明したように、第１の実施形態によれば、以下に列挙する効果が得られる。
（１）投稿用リーダライタ２０から送信されるＩＣタグ４０のタグＩＤと投稿用リーダライタ２０の端末ＩＤとに基づいて、情報管理サーバ３０は、会員制ウェブサイトサーバ１０へ情報をアップロードする。したがって、ＩＣタグ４０のタグＩＤが投稿用リーダライタに２０に読み取られるという簡易な操作によって、会員制ウェブサイトサーバ１０への情報のアップロードが行われる。
【００４８】
（２）会員制ウェブサイトの会員認証キーが、情報管理サーバ３０に記憶されて、ＩＣタグ４０や投稿用リーダライタ２０には登録されない。したがって、個人情報の不正な読み取り等に対するセキュリティを高めることができる。
【００４９】
（第２の実施形態）
本開示の技術における第２の実施形態について、第１の実施形態との相違点を中心に、図７から図９を参照して説明する。本実施形態は、情報管理サーバ３０に記憶される情報のデータ構成が、第１の実施形態と異なり、その他の基本的な構成は第１の実施形態と同様である。そのため、第１の実施形態と実質的に同一の構成要素にはそれぞれ同一の符号を付して示し、重複する説明は割愛する。
【００５０】
本実施形態では、投稿用リーダライタ２０がユーザによって携帯され、ＩＣタグ４０が催事会場に設置される。投稿用リーダライタ２０としては、ＮＦＣに対応したＡｎｄｒｏｉｄ（登録商標）搭載のスマートフォンが用いられる。投稿用リーダライタ２０には、投稿用アプリケーションが予めインストールされ、投稿用アプリケーションは、会員制ウェブサイトサーバ１０に情報がアップロードされる際に用いられる。また、投稿用リーダライタ２０には、端末固有の端末ＩＤが割り当てられている。ＩＣタグ４０としては、タグＩＤが記憶されたＩＣチップを備えるスマートポスター等が用いられる。ＩＣタグ４０は、催事会場内の展示物の付近に設置される。
【００５１】
図７に示されるように、認証データベース３２ａは、催事に参加するユーザの受付番号と、基本情報と、複数の会員認証キーと、複数の端末ＩＤとから構成されている。認証データベース３２ａでは、これら受付番号と基本情報と会員認証キーと端末ＩＤとが紐付けられている。例えば、「０００００１」の受付番号には、基本情報として会員の氏名である「山田太郎」が紐付けられ、また、会員認証キーとして「０７６２２５０７７」が紐付けされている。また、これらの情報には、端末ＩＤとして「ｖｉｏｂｅｅｔ０１」が紐付けられている。
【００５２】
図８に示されるように、アップロードデータベース３２ｂは、複数のタグＩＤと、アップロード情報とから構成されている。アップロードデータベース３２ｂでは、これらタグＩＤとアップロード情報とが紐付けられている。例えば、「２８ｂ４８ｄｒｆ」のタグＩＤには、催事用ページの記事ａに投票する旨のサービスの要求がアップロード情報として紐付けられている。また、「４１ｏ２６ｚｋａ」のタグＩＤには、個人用ページにコンテンツとして写真ｂを投稿する旨のサービスの要求がアップロード情報として紐付けられている。
【００５３】
［情報アップロードシステムの作用］
次に、上記情報管理サーバ３０を介して行われる会員制ウェブサイトへの情報のアップロードの手順について図９を参照して説明する。図９は、会員制ウェブサイトサーバ１０へ情報がアップロードされる手順を示すフローチャートである。会員制ウェブサイトサーバ１０への情報のアップロード（ステップＳ５）は、催事への参加登録と、投稿用リーダライタ２０の端末ＩＤの登録（ステップＳ４）とを経た後に行われる。
【００５４】
まず、ステップＳ４にて行われる催事への参加登録および端末ＩＤの情報管理サーバ３０への登録について説明する。
ネットワークＮＷに接続された投稿用リーダライタ２０では、催事への参加登録サイトから参加登録が行われる。参加登録では、上記基本情報と上記会員ＩＤとが、投稿用リーダライタ２０の端末ＩＤと共に、投稿用リーダライタ２０から会員制ウェブサイトサーバ１０に入力される。
【００５５】
会員制ウェブサイトサーバ１０は、入力された基本情報と会員ＩＤに対し、固有の受付番号を割り当てる。また、会員制ウェブサイトサーバ１０は、投稿用リーダライタ２０の端末ＩＤと受付番号と基本情報と会員ＩＤに対応する会員認証キーとを紐付けた状態で、これら端末ＩＤと受付番号と基本情報と会員認証キーとを情報管理サーバ３０へ送信する。情報管理サーバ３０の通信部３１は、受付番号と基本情報と会員認証キーと端末ＩＤとを受信し、情報管理サーバ３０の制御部３３は、これらを紐付けた状態で、データ更新部３３ａにより認証データベース３２ａを更新させる。これにより、当該会員の催事への参加登録が完了する。参加登録が完了すると、会員制ウェブサイトサーバ１０は、該当する受付番号を参加登録サイトのページ上に表示したり、ユーザ端末５０へメールを送信したりすることによって、受付番号をユーザに通知する。
【００５６】
なお、こうした参加登録は、基本情報と会員認証キーと受付番号と端末ＩＤとが紐付けられた上述の認証データベース３２ａが構築される手順であればよい。例えば、投稿用リーダライタ２０とは異なるユーザ端末５０が用いられ、第１の実施形態と同様に、参加登録が行われる。そして、情報管理サーバ３０では、基本情報と会員認証キーと受付番号とが紐付けられる。次いで、投稿用リーダライタ２０が用いられ、受付番号と端末ＩＤとが会員制ウェブサイトサーバ１０に送信される。これによって、情報管理サーバ３０では、基本情報と会員認証キーと受付番号と端末ＩＤとが紐付けられてもよい。
【００５７】
次に、ステップＳ５で行われるアップロードの手順について説明する。
催事会場内では、展示物の付近に設置されたＩＣタグ４０に投稿用リーダライタ２０の読み取り部分がかざされる。これにより、ＩＣタグ４０のタグＩＤが、投稿用リーダライタ２０に読み取られる。以後、先の図６のシーケンス図に示されるように、第１の実施形態と同様の手順で会員制ウェブサイトへの情報のアップロードが行われる。すなわち、投稿用リーダライタ２０は、タグＩＤを読み取ると、読み取ったタグＩＤと当該投稿用リーダライタ２０に登録されている端末ＩＤとを情報管理サーバ３０に送信する。
【００５８】
情報管理サーバ３０のデータ取得部３３ｂは、受信した端末ＩＤに基づいて、認証データベース３２ａに登録されたデータから、該当する端末ＩＤと紐付けられた会員認証キーを特定して取得する。また、データ取得部３３ｂは、受信したタグＩＤに基づいて、アップロードデータベース３２ｂから、該当するタグＩＤと紐付けられたアップロード情報を取得する。情報管理サーバ３０は、取得した会員認証キーとアップロード情報に応じたサービスの要求を会員制ウェブサイトサーバ１０に送信する。
【００５９】
会員制ウェブサイトサーバ１０は、受信した会員認証キーの認証処理を行った後に、受信したアップロード情報に応じたサービスを実行する。アップロード情報に応じたサービスが会員制ウェブサイトサーバ１０で実行されると、その処理の結果が、会員制ウェブサイトサーバ１０から情報管理サーバ３０を経由して投稿用リーダライタ２０に送信される。投稿用リーダライタ２０は、処理結果を受信すると、処理結果の内容を表示し、会員制ウェブサイトへの情報のアップロードが正常に行われたか否かをユーザに通知する。
【００６０】
このように、ユーザの携帯している投稿用リーダライタ２０がＩＣタグ４０にかざされるという簡易な操作によって、会員制ウェブサイトサーバ１０へ情報がアップロードされる。また、本実施形態においても、基本情報や会員認証キーといったユーザの個人情報は、情報管理サーバ３０に記憶されており、ＩＣタグ４０や投稿用リーダライタ２０には登録されていない。したがって、個人情報の不正な読み取り等に対するセキュリティを高めることができる。
【００６１】
以上説明したように、第２の実施形態によれば、上記（１）（２）に準じた効果に加えて以下の効果が得られる。
（３）催事の会場等では、ユーザへのＩＣタグ４０の配布や配布されたＩＣタグ４０のタグＩＤの登録が必要とされないため、会員制ウェブサイトサーバにサービスの提供を要求するその際に、こうした煩わしさを抑えることが可能にもなる。
【００６２】
（第３の実施形態）
本開示の技術における第３の実施形態について、第１の実施形態との相違点を中心に、図１０から図１３を参照して説明する。なお、本実施形態において、第１の実施形態と実質的に同一の構成要素にはそれぞれ同一の符号を付して示し、重複する説明は割愛する。まず、第３の実施形態における情報アップロードシステムの全体構成について、第１の実施形態との相違点を中心に、図１０を参照して説明する。
【００６３】
［情報アップロードシステムの構成］
図１０に示されるように、ＩＣタグ４０はユーザに携帯され、投稿用リーダライタ２０は催事会場に設置される。ＩＣタグ４０としては、例えば、ＩＣチップが埋め込まれたリストバンドやキーホルダー、カード等が用いられる。投稿用リーダライタ２０としては、ＮＦＣに対応したスマートフォンや、ＩＣタグの読み取り装置を備えたデジタルサイネージ等が用いられる。
【００６４】
投稿用リーダライタ２０には、ＯＳとしてＡｎｄｒｏｉｄ（登録商標）が搭載されており、投稿用アプリケーションとコンテンツ管理用アプリケーションとが予めインストールされている。投稿用アプリケーションは、会員制ウェブサイトサーバ１０に情報がアップロードされる際に用いられる。コンテンツ管理用アプリケーションは、投稿用リーダライタ２０に出力されるコンテンツを予め設定される設定時間ごとに切り替える。また、投稿用リーダライタ２０には、端末固有の端末ＩＤが登録されている。
【００６５】
ネットワークＮＷには、コンテンツ配信クラウドを構築するコンテンツ配信クラウドサーバ７０が接続されている。コンテンツ配信クラウドサーバ７０は、ネットワークＮＷに接続される投稿用リーダライタ２０に対し、相互に異なるコンテンツを定期的に送信する。投稿用リーダライタ２０は、コンテンツ管理用アプリケーションの起動に伴い、コンテンツ配信クラウドの送信するコンテンツを受信し、相互に異なるコンテンツを定期的に表示する。例えば、音楽祭等のように時間帯によって異なる催しが行われる会場では、その時間帯に行われている催しに対応したコンテンツが投稿用リーダライタ２０に表示される。投稿用リーダライタ２０の表示する各々のコンテンツには、コンテンツの識別に用いられる識別情報であるプログラムＩＤが設定されている。
【００６６】
図１１に示されるように、認証データベース３２ａは、第１の実施形態と同様、催事に参加するユーザの受付番号と基本情報と会員認証キーとタグＩＤとから構成されている。これら受付番号と基本情報と会員認証キーとタグＩＤとは紐付けられている。例えば、「０００００１」の受付番号には、基本情報として会員の氏名である「山田太郎」が紐付けられ、また、会員認証キーとして「０７６２２５０７７」が紐付けされている。また、これらの情報には、タグＩＤとして「２８ｂ４８ｄｒｆ」が紐付けられている。
【００６７】
図１２に示されるように、アップロードデータベース３２ｂは、投稿用リーダライタ２０の端末ＩＤと、投稿用リーダライタ２０で出力されるコンテンツのプログラムＩＤと、会員制ウェブサイトにアップロードされる情報とから構成されている。これら端末ＩＤとプログラムＩＤとアップロード情報とは紐付けられている。例えば、「ｖｉｏｂｅｅｔ０１」の端末ＩＤには、ある団体の演奏が行われる予定の時間帯に実行されるコンテンツのプログラムＩＤである「Ａ２６３８０５」が紐付けられ、その団体の写真ｄを個人用ページへ投稿する旨のサービスの要求がアップロード情報として紐付けられている。
【００６８】
［情報アップロードシステムの作用］
次に、情報管理サーバ３０を介して行われる会員制ウェブサイトサーバ１０への情報のアップロードの手順について図１３を参照して説明する。なお、本実施形態では、第１の実施形態と同様の手順で、催事への参加登録とＩＣタグ４０のタグＩＤの情報管理サーバ３０への登録とが行われる。この参加登録とタグＩＤ登録とが完了した時点で上記認証データベース３２ａと上記アップロードデータベース３２ｂとが構築される。
【００６９】
図１３に示されるように、催事会場内にて、投稿用リーダライタ２０の読み取り部分にＩＣタグ４０がかざされる。これにより、ＩＣタグ４０のタグＩＤが、投稿用リーダライタ２０に読み取られる（ステップＳ２０）。
【００７０】
投稿用リーダライタ２０は、タグＩＤを読み取ると、読み取ったタグＩＤと、当該投稿用リーダライタ２０に登録されている端末ＩＤと、タグＩＤの読み取り時に当該投稿用リーダライタ２０にて表示されたコンテンツのプログラムＩＤとを情報管理サーバ３０に送信する（ステップＳ２１）。
【００７１】
情報管理サーバ３０のデータ取得部３３ｂは、受信したタグＩＤに基づいて、認証データベース３２ａに登録されたデータから、該当するタグＩＤと紐付けられた会員認証キーを特定して取得する。また、データ取得部３３ｂは、受信した端末ＩＤとプログラムＩＤとに基づいて、アップロードデータベース３２ｂから、該当する端末ＩＤとプログラムＩＤと紐付けられたアップロード情報を特定して取得する（ステップＳ２２）。
【００７２】
情報管理サーバ３０は、取得した会員認証キーとアップロード情報に応じた信号とを会員制ウェブサイトサーバ１０に送信する（ステップＳ２３）。
会員制ウェブサイトサーバ１０は、受信した会員認証キーの認証処理を行った後（ステップＳ２４）、受信したアップロード情報に応じた信号に対応した処理を実行する（ステップＳ２５）。
【００７３】
処理が実行されると、処理結果が、会員制ウェブサイトサーバ１０から情報管理サーバ３０を経由して投稿用リーダライタ２０に送信される（ステップＳ２６）。
処理結果を受信すると、投稿用リーダライタ２０は、処理結果に応じた表示を行って、ユーザに会員制ウェブサイトへの情報のアップロードが正常に行われたか否かを通知する（ステップＳ２７）。
【００７４】
このように、投稿用リーダライタ２０から送信されるタグＩＤと端末ＩＤとプログラムＩＤとに基づいて、情報管理サーバ３０は、会員制ウェブサイトへ情報をアップロードする。この際に、投稿用リーダライタ２０で表示されているコンテンツに応じ、そのコンテンツに対応するアップロード情報に応じたサービスの要求が、会員制ウェブサイトサーバ１０に送信される。
【００７５】
したがって、携帯しているＩＣタグ４０が投稿用リーダライタ２０にかざされるという簡易な操作によって、会員制ウェブサイトサーバ１０への情報のアップロードが行われる。また、設定時間ごとに相互に異なる情報が、会員制ウェブサイトサーバ１０にアップロードされる。そのため、会員制ウェブサイトサーバ１０へアップロードされる情報の多様化を図ることが可能となる。また、投稿用リーダライタ２０の表示するコンテンツは、ネットワークＮＷを介してダウンロードされるため、投稿用リーダライタ２０ごとに異なる実行ファイルを保存しておく等の事前準備にかかる負担を低減することができる。
【００７６】
また、本実施形態においても、基本情報や会員認証キーといったユーザの個人情報は、情報管理サーバ３０に記憶されており、ＩＣタグ４０や投稿用リーダライタ２０には登録されていない。したがって、個人情報の不正な読み取り等に対するセキュリティを高めることができる。
【００７７】
なお、第３の実施形態において、情報管理サーバ３０に記憶される情報の紐付けを変更し、第２の実施形態と同様に、投稿用リーダライタ２０がユーザによって携帯され、ＩＣタグ４０が催事会場に設置されるようにしてもよい。例えば、アップロードデータベース３２ｂは、ＩＣタグ４０のタグＩＤと、投稿用リーダライタ２０で出力されるコンテンツのプログラムＩＤと、会員制ウェブサイトにアップロードされる情報とから構成され、これらタグＩＤとプログラムＩＤとアップロード情報とが紐付けられる。この場合、例えば、投稿用リーダライタ２０には画像等のコンテンツが切り替わり表示され、ユーザはアップロードしたい情報に関連するコンテンツが表示されているときに、ＩＣタグ４０に投稿用リーダライタ２０をかざす。これによれば、ユーザがアップロードしたい情報を選択する自由度も向上される。
【００７８】
以上説明したように、第３の実施形態によれば、上記（１）（２）（３）の効果に加えて、以下に列挙する効果が得られる。
（４）ＩＣタグ４０のタグＩＤと投稿用リーダライタ２０の端末ＩＤと投稿用リーダライタ２０で実行されているコンテンツのプログラムＩＤとに基づいて、情報管理サーバ３０は、会員制ウェブサイトサーバ１０へ情報をアップロードする。したがって、投稿用リーダライタ２０の表示する相互に異なるコンテンツに応じて異なる情報を会員制ウェブサイトサーバ１０にアップロードすることができる。それゆえに、会員制ウェブサイトサーバ１０へアップロードされる情報の多様化を図ることが可能となる。
【００７９】
（５）投稿用リーダライタ２０で出力されるコンテンツは、予め設定される設定時間ごとに切り替えられる。したがって、時間帯ごとに相互に異なる情報が、単一の投稿用リーダライタ２０によって、会員制ウェブサイトサーバ１０にアップロードされる。特に、音楽祭等、単一の投稿用リーダライタ２０に対応する催事内容が時間帯ごとに変わる催事にこうしたシステムが用いられると、当該システムの有用性が高められる。
【００８０】
（６）投稿用リーダライタ２０で出力されるコンテンツは、ネットワークＮＷを介して投稿用リーダライタ２０に配信されるため、投稿用リーダライタ２０の事前の設定に必要とされる負担を低減することができる。
【００８１】
（他の実施形態）
上記各実施形態は、以下のように変更して実施することが可能である。
・第１および第３の実施形態において、受付番号は、予めＩＣタグ４０のタグＩＤと紐付けられた番号であってもよい。この場合に、ＩＣタグ４０には、当該ＩＣタグ４０のタグＩＤと紐付けられた受付番号が印字等により表示されている。そして、ＩＣタグ４０は、参加登録よりも前にユーザに配布される。ユーザは、参加登録の際に、配布されたＩＣタグ４０の受付番号と基本情報と会員ＩＤを入力する。これにより、受付番号に紐付けられたタグＩＤに、基本情報と会員認証キーとが紐付けられて、情報管理サーバ３０に記憶される。こうして、参加登録およびタグＩＤと会員認証キーとの紐付けが完了する。
【００８２】
・上記実施形態では、情報管理サーバ３０に記憶される会員制ウェブサイトサーバ１０における会員の認証情報として、会員認証キーを用いたが、ユーザが使用する会員ＩＤ（識別コードやパスワード）がタグＩＤや端末ＩＤと紐付けられて情報管理サーバ３０に記憶されるようにしてもよい。
【００８３】
・上記実施形態では、１つの端末ＩＤ（もしくはタグＩＤ、プログラムＩＤ）に対して、１つのアップロード情報を紐付けたが、複数のアップロード情報を紐付けてもよい。例えば、ある展示物の付近に設置された投稿用リーダライタ２０の端末ＩＤに、その展示物を紹介する文章の個人用ページへの投稿というアップロード情報と催事用ページにおけるその展示物の記事に投稿というアップロード情報との２つアップロード情報を紐付ける。この場合、投稿用リーダライタ２０によるＩＣタグ４０のタグＩＤの読み取りに伴って、ユーザの個人用ページに展示物を紹介する文章が投稿されるとともに、催事用ページの展示物の記事に投票が行われる。
【００８４】
・会員制ウェブサイトは、催事用ページと個人用ページとのいずれか一方のみを有するものであってもよいし、こうした区分けを有さないものであってもよい。また、会員制ウェブサイトはクラウドであって、例えば、投稿用リーダライタ２０によるＩＣタグ４０のタグＩＤの読み取りに伴って催事に関する資料がクラウドに保存されるようにしてもよい。
【００８５】
・上記実施形態では、アップロード情報と紐付ける情報として、端末ＩＤ，タグＩＤ，プログラムＩＤを挙げたが、これに加えて、例えば、投稿用リーダライタ２０がタッチパネルを備えたスマートフォンである場合には、タッチパネルのどの部分がタッチされたか等のユーザの動作情報をアップロード情報と紐付けるようにしてもよい。この場合、ユーザの動作によって、会員制ウェブサイトにアップロードされる情報が異なる。
【００８６】
・上記実施形態では、会員制ウェブサイトサーバ１０にアップロードされる文章や画像、動画は予め設定されているものとしたが、例えば、催事会場内にカメラ機能を備えたスマートフォン等が設置され、投稿用リーダライタ２０によるＩＣタグ４０のタグＩＤの読み取りに伴って、こうしたカメラで撮影された画像が会員制ウェブサイトに投稿されるようにしてもよい。
【００８７】
・第３の実施形態において、投稿用リーダライタ２０の出力する各コンテンツは一括してダウンロードされてもよい。また、予め投稿用リーダライタ２０に保存されていてもよい。
【００８８】
・第３の実施形態において、投稿用リーダライタ２０に出力されるコンテンツは、ＨＴＭＬ５のプログラムファイル形式で配信されてもよい。
・第３の実施形態において、投稿用リーダライタ２０に出力されるコンテンツは、予め設定された設定時間ごとではなく、例えば、投稿用リーダライタ２０の利用者数やＩＣタグ４０の種別等、予め設定された何らかのフラグによって切り替えられてもよい。
【００８９】
・ＩＣタグ４０は、例えば、タグＩＤが割り当てられた専用のアプリケーションをダウンロードしたスマートフォン等、近距離無線通信機能を有する端末であってもよい。
・投稿用リーダライタ２０としては、Ａｎｄｒｏｉｄ（登録商標）以外のＯＳが搭載された端末でもよく、アプリケーション等のダウンロードが必要ない場合には、ネットワークに接続されたＩＣタグのリーダライタとして機能する端末であればよい。
【００９０】
・催事の内容は、展示会や音楽祭の他、スポーツイベントや、スタンプラリー、抽選会であってもよい。例えば、投稿用リーダライタ２０によるＩＣタグ４０のタグＩＤの読み取りに伴って、スタンプラリーでのスタンプの取得や抽選会での抽選が行われ、その結果が会員制ウェブサイトにアップロードされてもよい。
【００９１】
・催事以外にも、店舗や商品に対して投稿用リーダライタ２０もしくはＩＣタグ４０が設けられ、これらの利用により会員制ウェブサイトに情報がアップロードされるようにしてもよい。
【００９２】
・上記実施形態では、ＩＣチップを備えたＩＣタグと、非接触でＩＣタグのタグＩＤを読み取るリーダライタとを用いたが、これに代えて、例えば二次元バーコード等、端末によって読み取り可能な識別情報を保持する記憶媒体と、対応する読み取り端末とを用いてもよい。
【符号の説明】
【００９３】
ＮＷ…ネットワーク、１０…会員制ウェブサイトサーバ、２０…投稿用リーダライタ、３０…情報管理サーバ、３１…通信部、３２…記憶部、３２ａ…認証データベース、３２ｂ…アップロードデータベース、３３…制御部、３３ａ…データ更新部、３３ｂ…データ取得部、４０…ＩＣタグ、５０…ユーザ端末、６０…登録用リーダライタ、７０…コンテンツ配信クラウドサーバ。
【図１】
0006044107.tif 000002
【図２】
0006044107.tif 000003
【図３】
0006044107.tif 000004
【図４】
0006044107.tif 000005
【図５】
0006044107.tif 000006
【図６】
0006044107.tif 000007
【図７】
0006044107.tif 000008
【図８】
0006044107.tif 000009
【図９】
0006044107.tif 000010
【図１０】
0006044107.tif 000011
【図１１】
0006044107.tif 000012
【図１２】
0006044107.tif 000013
【図１３】
0006044107.tif 000014